(57)【特許請求の範囲】
【請求項１】
無線デバイスに対して無線サービスを提供するように構成された１以上のベースステーションにおいて配置された複数アンテナからサービス提供を受けるセルを有する移動体ネットワークにおいて実装することができる無線通信の方法であって、
前記無線デバイスは、前記セル内に配置されており、
前記方法は、
前記１以上のベースステーションに配置された前記複数アンテナのなかから第１アンテナを含むように第１アンテナグループを構成し、第１および第２フォーマットにしたがって、前記セル内の前記無線デバイスに対して共通システム情報、共通基準信号、およびデータを送信するようにするステップ、
前記第１アンテナとは異なる第２アンテナを含むように第２アンテナグループを構成し、前記第２フォーマットにしたがって、前記共通システム情報と前記共通基準信号を送信することなく、前記セル内の前記無線デバイスに対してデータを送信するようにするステップ、
ネットワーク動作状態に基づき、前記第１アンテナグループまたは前記第２アンテナグループに対して、前記１以上のベースステーションに配置された前記複数アンテナのなかからアンテナを動的に割り当てるステップ、
を有することを特徴とする方法。
【請求項２】
前記方法はさらに、
前記セル内のマクロベースステーションの１以上のアンテナを前記第１アンテナグループとして用いて、前記マクロベースステーションがカバーするマクロセルに対して無線カバー範囲を提供するステップ、
前記マクロベースステーションよりも低いパワーレベルで動作する前記セル内のマイクロベースステーションのアンテナを前記第２アンテナグループとして用いて、前記マクロセルよりも小さい地理的エリアを占有し少なくとも部分的に前記マクロセルと重なるマイクロセルに対して無線カバー範囲を提供するステップ、
を有することを特徴とする請求項１記載の方法。
【請求項３】
前記ネットワーク動作状態は、
前記マイクロセル内において、前記第２フォーマットを用いることができないレガシーモバイルステーションが存在するか否か；
前記マクロセルのデータトラフィック負荷；
前記マイクロセルのデータトラフィック負荷；
の少なくとも１つを含む
ことを特徴とする請求項２記載の方法。
【請求項４】
前記第１フォーマットは、共通基準信号から導かれる送信パラメータを用い、
前記第２フォーマットは、専用基準信号から導かれる送信パラメータを用いる
ことを特徴とする請求項１記載の方法。
【請求項５】
前記方法はさらに、
前記セル内のベースステーションの１以上の第１アンテナを前記第１アンテナグループとして用いて、前記セルに対して無線カバー範囲を提供するステップ、
前記ベースステーションの１以上の第２アンテナを前記第２アンテナグループとして用いて、前記セルに対して無線カバー範囲を提供するステップ、
を有することを特徴とする請求項１記載の方法。
【請求項６】
無線通信装置であって、
１以上のベースステーションに配置された複数アンテナのなかから第１アンテナを含むように第１アンテナグループを構成し、第１および第２フォーマットにしたがって、セル内の無線デバイスに対して共通システム情報、共通基準信号、およびデータを送信するようにする、第１アンテナ構成器、
前記第１アンテナとは異なる第２アンテナを含むように第２アンテナグループを構成し、前記第２フォーマットにしたがって、前記共通システム情報と前記共通基準信号を送信することなく、前記セル内の前記無線デバイスに対してデータを送信するようにする、第２アンテナ構成器、
ネットワーク動作状態に基づき、前記第１アンテナグループまたは前記第２アンテナグループに対して、前記１以上のベースステーションに配置された前記複数アンテナのなかからアンテナを動的に割り当てる、動的アンテナ割当器、
を備えることを特徴とする装置。
【請求項７】
前記装置はさらに、
前記セル内のマクロベースステーションの１以上のアンテナを前記第１アンテナグループとして用いて、マクロセルに対して無線カバー範囲を提供する、マクロセルコントローラ、
前記マクロベースステーションよりも低いパワーレベルで動作する前記セル内のマイクロベースステーションのアンテナを前記第２アンテナグループとして用いて、前記マクロセルよりも小さい地理的エリアを占有し少なくとも部分的に前記マクロセルと重なるマイクロセルに対して無線カバー範囲を提供する、マイクロセルコントローラ、
を備えることを特徴とする請求項６記載の装置。
【請求項８】
前記ネットワーク動作状態は、
前記マイクロセル内において、前記第２フォーマットを用いることができないレガシーモバイルステーションが存在するか否か；
前記マクロセルのデータトラフィック負荷；
前記マイクロセルのデータトラフィック負荷；
の少なくとも１つを含む
ことを特徴とする請求項７記載の装置。
【請求項９】
前記第１フォーマットは、共通基準信号から導かれる送信パラメータを用い、
前記第２フォーマットは、専用基準信号から導かれる送信パラメータを用いる
ことを特徴とする請求項６記載の装置。
【請求項１０】
前記第１アンテナ構成器はさらに、前記セル内のベースステーションの１以上の第１アンテナを前記第１アンテナグループとして用いて、前記セルに対して無線カバー範囲を提供するように構成され、
前記第２アンテナ構成器はさらに、前記ベースステーションの１以上の第２アンテナを前記第２アンテナグループとして用いて、前記セルに対して無線カバー範囲を提供するように構成されている
ことを特徴とする請求項６記載の装置。
【請求項１１】
命令を格納するコンピュータ読取可能媒体であって、
前記命令は、プロセッサが実行することにより、前記プロセッサが方法を実装するように構成されており、
前記方法は、
複数アンテナの第１サブセットを第１アンテナグループに対して割り当て、前記複数アンテナの第２サブセットを第２アンテナグループに対して割り当てる、ステップ、
第１または第２フォーマットにしたがって基準信号とデータを送信するように前記第１アンテナグループを構成するステップ、
前記第２アンテナグループが最初は信号を送信しないように構成するステップ、
ネットワーク帯域幅利用率を監視するステップ、
前記ネットワーク帯域幅利用率が所定閾値に達したと判定されるとき、前記第２アンテナグループをＯＮして前記第２フォーマットにしたがって信号を送信するステップ、
を有することを特徴とするコンピュータ読取可能媒体。
【請求項１２】
前記方法はさらに、
第１公称パワーレベルで送信するよう前記第１アンテナグループを構成するステップ、  前記第１公称パワーレベルよりも小さい第２公称パワーレベルで前記第２アンテナグループを構成するステップ、
を有することを特徴とする請求項１１記載のコンピュータ読取可能媒体。
【請求項１３】
無線通信システムであって、
第１位置に配置され、第１エリアにわたって無線カバー範囲を提供するマクロセルベースステーションであって、第１パワーレベルで送信される共通基準信号から導かれる送信パラメータを用いてデータを送信するように構成された第１送信ポイントセットを備える、マクロセルベースステーション、
前記第１位置とは異なる第２位置に配置され、少なくとも部分的に前記第１エリアの範囲内にある第２エリアにわたって無線カバー範囲を提供するマイクロセルベースステーションであって、前記第１パワーレベルより小さい第２パワーレベルで送信されるユーザ機器固有基準信号から導かれる送信パラメータを用いてデータを送信するように構成された第２送信ポイントセットを備える、マイクロセルベースステーション、
を備え、
前記マクロセルベースステーションと前記マイクロセルベースステーションはさらに、前記第１および第２エリアに対応する同じ無線セルＩＤを用いて送信するように構成され、
前記第２送信ポイントセットは、（ａ）ネットワーク帯域幅利用率、または（ｂ）マイクロセルカバーエリア内における、前記ユーザ機器固有基準信号に準拠したユーザ機器の個数、に応じて動作中にＯＮまたはＯＦＦされる
ことを特徴とするシステム。
【請求項１４】
前記送信パラメータは、プリコーディングマトリクスまたは変調符号化インデックスの少なくとも１つを含む
ことを特徴とする請求項１３記載のシステム。
【請求項１５】
前記システムはさらに、ユーザ機器（ＵＥ）を備え、
前記ＵＥは、前記共通基準信号から導かれる送信パラメータを用いてダウンリンクデータ送信を受け取ることができる第１モード、および、前記ユーザ機器固有基準信号から導かれる送信パラメータを用いてダウンリンクデータ送信を受け取ることができる第２モード、で動作することができる
ことを特徴とする請求項１３記載のシステム。
【発明の詳細な説明】
【技術分野】
【０００１】
＜関連出願への相互参照＞
本特許文献は、２０１２年１０月３日に出願された米国仮出願第６１／７４４，８９１号、発明の名称“Ｄｙｎａｍｉｃ  Ｔｒａｎｓｍｉｓｓｉｏｎ  Ａｎｔｅｎｎａ  Ｒｅｃｏｎｆｉｇｕｒａｔｉｏｎ  ｉｎ  Ｗｉｒｅｌｅｓｓ  Ｎｅｔｗｏｒｋｓ”の優先権を主張する。同特許出願の全内容は、参照により本願の一部として組み込まれる。
【０００２】
本文献は、マクロベースステーションのカバー領域内の少なくとも一部に１以上の低パワーノードが配置された異種ネットワークを含む携帯通信システムに関する。
【背景技術】
【０００３】
移動体通信システムは世界中に配置され、音声サービス、携帯ブロードバンドデータサービス、およびマルチメディアサービスを提供している。様々な要因により、携帯帯域幅に対するニーズが増している。これは、ネットワーク上に接続された例えばスマートフォンなどの携帯電話の台数が増え続けていること、および映像や画像をともなうモバイルアプリケーションなどのように大量のデータを消費するモバイルアプリケーションが配信されていることを含む。モバイルシステム業者が、ネットワークに対して新たなモバイルデバイスを追加し、新たなモバイルアプリケーションを配信し、ブロードバンドモバイルサービスによってカバーされる地理的エリアを増やすのにともない、業者カバーエリアを広帯域幅接続によってカバーするニーズが増している。
【発明の概要】
【発明が解決しようとする課題】
【０００４】
所与のカバーエリアにおいてデータ通信のために利用可能な移動体帯域幅は、いくつかの技術により増やすことができる。これは、ポイント間リンクのスペクトル効率を改善すること、および通信セルをより小さいセルへ分割することを含む。セル分割において、分割セルが小さくなり互いに接近すると、隣接セル干渉が大きくなり、所与のエリア内の分割セル数がある個数を超過するとセル分割ゲインが飽和する可能性がある。さらに近年では、ベースステーションを設置する新たな場所を確保することはますます難しくなっており、新たなベースステーションを追加するコストは増加している。これらおよびその他要因により、セル分割を用いて増加する帯域幅要求を充足することは困難になっている。
【０００５】
本文書は、セルの無線カバーエリア内におけるユーザ機器（ＵＥ）に対するダウンリンク送信のために送信アンテナを複数用いることができるようにする技術を記載している。
【課題を解決するための手段】
【０００６】
１側面において、ネットワーク動作状態に基づき、２つの異なる論理アンテナグループに対して送信ポイントが動的に割り当てられる。第１グループのアンテナは、セル内で動作する無線デバイスに対して共通システム情報と共通基準信号を送信するために用いられる。第１グループのアンテナはまた、２つの異なるデータフォーマットにしたがってデータを送信するように構成されている：第１および第２フォーマットである。第２グループのアンテナは、前記第２フォーマットのみにしたがってデータを送信するように構成されるとともに、前記第１フォーマットにしたがってデータまたは前記共通基準信号または前記共通システム情報を送信しないように構成されている。ダウンリンク送信のために利用できる複数アンテナは、前記ネットワーク動作状態に基づき前記第１アンテナグループまたは前記第２アンテナグループに対して動的に割り当てられる。
【０００７】
これらおよびその他の側面、実装、および変形例は、以下の図面、詳細説明、および特許請求範囲で説明する。
【図面の簡単な説明】
【０００８】
【図１】無線ネットワーク構成を示す。
【０００９】
【図２】無線ステーションアーキテクチャを示す。
【００１０】
【図３Ａ】マクロベースステーションを含む移動体ネットワークを示す。
【００１１】
【図３Ｂ】複数アンテナを備える移動体ネットワークノードのブロック図である。
【００１２】
【図４Ａ】マクロベースステーションとマイクロベースステーションを含む移動体ネットワークを示す。
【００１３】
【図４Ｂ】共同設置されていないアンテナを有する移動体ネットワークノードのブロック図である。
【００１４】
【図５】無線通信プロセスのフローチャートである。
【００１５】
【図６】無線ネットワーク装置のブロック図である。
【発明を実施するための形態】
【００１６】
各図面内の同様の参照符号は同様の要素を示す。
【００１７】
本文書が記載する技術は、１以上のユーザ機器（ＵＥ）に対してサービスを提供する無線ネットワークに対して適用することができる。ユーザ機器は例えば、携帯電話、タブレットやラップトップコンピュータを含む無線通信デバイスである。無線ネットワークは、通信ノード／ベースステーション（例えばマクロベースステーションやマイクロベースステーション）の複数ティアを有する異機種ネットワーク（ＨｅｔＮｅｔ）配置である場合がある。このようなＨｅｔＮｅｔにおけるマクロベースステーションは、広いマクロセルエリアをカバーするだけの十分高い送信パワーを有し、マイクロベースステーションは、マクロベースステーションの大きいマクロセルエリアの範囲内または部分的にその範囲内のより小さいエリアをカバーする低パワーノード（ＬＰＮ）である。
【００１８】
帯域幅に対する増え続ける要求を満たすため、様々な無線通信ネットワークが、ベースステーションなどのネットワーク送信デバイスが複数送信アンテナまたは複数受信アンテナを搭載する構成を用い始めている。さらに異機種ネットワーク構成は、１以上のマイクロベースステーションが低パワーレベルで動作してより小さい地理的エリアをカバーする配置において、ますます用いられている。例えば、高パワーレベルで動作する１以上のマクロベースステーションの制御下にある顧客宅内である。マイクロベースステーションがネットワークのコントロール下にあるとき、マイクロベースステーションの送信リソース（例えばマイクロベースステーションにおける物理アンテナ）は、ネットワークのダウンリンク送信ポイントの利用可能リソースに追加し、無線デバイスに対してデータを提供する。実施例において、マイクロベースステーションはフェムトセルベースステーションであってもよい。実施例において、無線デバイスの観点から、マクロベースステーションまたはマイクロベースステーションからの送信は、同じセルＩＤを搬送する同じセルに属する場合がある。
【００１９】
ネットワークにとっては、特定のユーザ機器（ＵＥ）に対するダウンリンクデータ送信のための送信ポイントを選択し、アンテナが物理的にマイクロベースステーションまたはマクロベースステーションにおけるものであるか否かによらず、最適なアンテナが用いられるようにすることが有用である。
【００２０】
既存の様々な無線ネットワークは、動的にアンテナを割り当てるように設計されていない。このような無線ネットワークは、ダウンリンク送信のための送信アンテナリソース（例えば物理アンテナ）をあらかじめ割り当てる傾向がある。また現在動作している多くのＵＥデバイスは、チャネル推定のための共通基準信号を送信する同じアンテナからダウンリンクデータを送信する必要があるように設計されている。このＵＥ側の動作制限により、ＵＥ固有基準信号を用いてＵＥに対するダウンリンクチャネルを較正するモードで動作可能な新たなＵＥに対して、既存の様々な無線ネットワークが適応する機能が妨げられている。したがってその新たなＵＥは、ネットワークが同一物理アンテナからのデータ送信と共通基準信号送信を束ねることを制限しない。
【００２１】
他動作例において、マイクロベースステーションが帯域混雑している場合、ダウンリンクデータ送信の分担をマイクロベースステーションとマクロベースステーションとの間で動的再構成して同時にサービスを受けるＵＥの台数を増やすことが、ネットワークにとって有用である。ただし上記制約により、既存の無線ネットワークは、マクロベースステーションまたはマイクロベースステーションから送信アンテナを動的再構成して異なるＵＥに対しサービスを提供する機能を制約されている。
【００２２】
多くの移動体システムにおいて、ＵＥはネットワークがブロードキャストした共通情報ブロックに基づき、様々なネットワークパラメータおよび当該ＵＥに対してサービスを提供しているネットワークとセルの設定を取得する。これらネットワークがブロードキャストする共通情報ブロックは、移動体ネットワークノードにより周期的にブロードキャストされる場合がある。ブロードキャストされた情報は、当該セル内の全ＵＥに対して適用され、またはセルに参加するプロセスにある全ＵＥに対して適用される。このようなブロードキャストされた情報は通常、セル毎に異なる。このようなネットワークの多くは、これら共通情報ブロックに適合する通信を用いる。この適合通信動作においてＵＥは、セルやネットワークと適切に通信を確立するため、ブロードキャストされた情報ブロックとともに既知の基準（パイロット）信号を受け取る必要がある。
【００２３】
本文書において、この基準（またはパイロット）信号のことを、“共通基準信号”と呼ぶ。ブロードキャストされた情報部録を含む共通チャネルは、“ブロードキャストチャネル”と呼ぶ。以下に説明する例において、共通基準信号は同じアンテナセットからブロードキャストチャネルとして送信される。ＵＥもまた、ブロードキャストチャネルの変調シンボルからアンテナセットへのマッピングと、共通基準信号からアンテナセットへのマッピングとの間の関係に関する情報を取得する。これらは通常線形マッピングであり、プリコーディングと呼ばれる。プリコーディング動作は、共通基準信号が使用するアンテナセットからアンテナサブセットを選択することを含む。
【００２４】
ブロードキャストチャネルを受信するため用いる共通基準信号は、他機能のために用いることもできる。例えばＵＥモビリティのパワー測定やチャネル品質推定である。したがってネットワークのベースステーションは、定期的に共通基準信号とブロードキャストチャネル送信し、途切れることなくカバー範囲を提供する必要がある。
【００２５】
ＵＥ専用制御およびＵＥに対するデータ適合送信は通常、共通基準信号の補助を受けて実施される。“ＵＥ専用”という語句は、１側面において、その送信が特定のＵＥによって受信されることを意図していることを意味する。
【００２６】
ネットワークがＵＥ専用制御とデータを適合通信する他の方法は、共通基準信号とは異なる他の基準信号を用いることである。この別基準信号を、“専用基準信号”と呼ぶ。ブロードキャストされ全ＵＥがデコードして用いる共通基準信号とは異なり、この専用基準信号は、サービス提供ベースステーションが特定ＵＥによって使用されるためのみに提供するからである。同じサービス提供ベースステーションのカバーエリアの他ＵＥは、専用基準信号を受信することはできるものの、他のＵＥ宛の専用基準信号を用いない。ネットワークは、この特定ＵＥのための専用基準信号をいくつかの方法で実装することができる。これは、特定ＵＥへ送信するための専用の時間／周波数割当を用いることを含む。ＵＥへ送信するため用いる時間−周波数リソースは、暗黙的または明示的にスケジュールすることができる。実施例において専用基準信号は、当該ＵＥ固有の例えば変調コンステレーションやプリコーディングなどの送信パラメータを用いて送信される。専用制御またはデータを受け取ることをネットワークが意図しているＵＥのみが、その専用基準信号を実際に処理して用いる。
【００２７】
専用基準信号を用いる利点の１つは、受信ＵＥが知らない任意のプリコーディングを使用できることである。その場合であっても、専用基準信号と情報シンボルに対して同じ道のプリコーディングが適用されていれば、適合受信は動作する。このように、受信ＵＥにとって特に適しているプリコーディングは、受信ＵＥに対して通知する必要なく、ベースステーション送信器が選択することができる。この場合プリコーディング動作は、ＵＥに対して透過的である。実施例において、専用基準信号と専用制御およびデータ送信の送信パラメータは、セルＩＤに依拠する。他実施例において、専用基準信号と専用制御およびデータ送信の送信パラメータは、セルＩＤに依拠しない。
【００２８】
上記方式は１つのキャリアに関連する。１つのキャリアは通常、自身のセルＩＤを有する１つのセルに対応するからである。ただし同方式は、１つのセルＩＤを有する集約された複数キャリアに拡張することもできる。
【００２９】
一般に、無線ネットワークに配置された異なるＵＥは、異なる性能を有する。“レガシー”ＵＥを含むいくつかのＵＥは、共通基準信号のみに基づきダウンリンク専用データおよび制御通信を受信できる場合がある。他のＵＥは、専用基準信号のみに基づき、ダウンリンク専用データおよび制御通信を受信することができる場合がある。他のＵＥは、ダウンリンクデータおよび制御通信を受信するため、共通基準信号と専用基準信号の双方を用いることができる場合がある。
【００３０】
具体例として、Ｌｏｎｇ  Ｔｅｒｍ  Ｅｖｏｌｕｔｉｏｎ（ＬＴＥ）およびＬＴＥ−Ａｄｖａｎｃｅｄネットワーク（以下ではＬＴＥ）において、ユーザ機器はプライマリ同期信号（ＰＳＳ）とセカンダリ同期信号（ＳＳＳ）を検索することにより、ＬＴＥネットワークを検出することができる。これら同期信号は、ｅＮｏｄｅＢ（ｅＮＢ）と呼ばれるＬＴＥマクロベースステーションによって周期的に送信される。ｅＮＢは、本文書における移動体ネットワークノードの例である。ＰＳＳ／ＳＳＳを検出すると、ＵＥはセルＩＤ番号（セルＩＤ）を取得することができる。ＰＳＳ／ＳＳＳを検出した後、ＵＥはマスタ情報ブロック（ＭＩＢ）とシステム情報ブロック（ＳＩＢ）セットを受信することができる。ＭＩＢは物理ブロードキャストチャネル（ＰＢＣＨ）上で送信され、ＳＩＢは物理ダウンリンク共有チャネル（ＰＤＳＣＨ）上で送信される。これらブロックは、ＬＴＥセル内でＵＥが機能するのに役立つ共通情報（例えばシステム帯域幅）を含む。これら情報ブロックは通常、セル内において周期的にブロードキャストされる。
【００３１】
ＭＩＢとＳＩＢの復調を実施するとき、ＵＥはセル固有基準信号（ＣＲＳ）を受信することを試みる。ＭＩＢとＳＩＢは、ＵＥが知っているプリコーディングを用いて送信される。ＭＩＢのプリコーディングは、ＵＥがその全体を知らない場合がある。ＭＩＢは、いくつかの方法でプリコードすることができる。ＵＥは、ＭＩＢを受信することができたプリコーディング（デコードの結果、ＣＲＣがＯＫとなったもの）が送信器によって用いられたと推測することができる。ＬＴＥにおけるＣＲＳは、本文書において共通基準信号と呼ぶものの１例である。ＬＴＥにおいて、ダウンリンク制御およびデータシンボルの復調（ＵＥによる）は、ＣＲＳ（送信モード１−６）またはＵＥ固有基準信号に基づくことができる。ＵＥ固有基準信号は、ＲＳまたはＤＭ−ＲＳと呼ばれる（送信モード７−９）。ＬＴＥにおけるＵＥ固有基準信号またはＤＭ−ＲＳは、専用基準信号の１例である（共通基準信号とは反対）。ＬＴＥにおいて、ＬＴＥリリース８／９配下のＵＥはＣＲＳに依拠し、ＬＴＥリリース１０配下のＵＥはＣＲＳまたはＤＭ−ＲＳを用いて動作する。
【００３２】
ＣＲＳベース通信のため、ベースステーションは、ＣＲＳ信号を送信するアンテナセットから情報シンボルを送信する。またベースステーションは、ＣＲＳのプリコーディングと制御およびデータシンボルのプリコーディングとの間の関係を、ＵＥに対して送信する。ＣＲＳのプリコーディングは、あらかじめ既知である必要がある。このプリコーディングを用いてブロードキャスト情報ブロックを受信するからである。
【００３３】
復調基準信号（ＤＭ−ＲＳ）ベース通信のため、ＤＭ−ＲＳのプリコーディングと情報シンボルのプリコーディングとの間の関係は、受信ＵＥがあらかじめ知っている必要がある。プリコーディング自身は、受信ＵＥが知っている必要はない。
【００３４】
ＬＴＥも、“アンテナポート”という用語を用いる。この場合、アンテナポートは複数アンテナにマッピングされる。例えばＬＴＥにおけるＣＲＳとブロードキャストチャネルは、２つのアンテナポートを通じて送信されるが、アンテナは８つである。アンテナポートからアンテナに対するマッピングは、ＵＥにとって透過的である。
【００３５】
図１は、上記通信技術を適用できる無線通信システムの例を示す。無線通信システムは、１以上のベースステーション（ＢＳ）１０５ａ、１０５ｂ、１以上の無線デバイス１１０、およびアクセスネットワーク１２５を含む。ベースステーション１０５ａ、１０５ｂは、１以上の無線セクタにおいて無線デバイス（またはＵＥ）１１０に対して無線サービスを提供する。実施例において、ベースステーション（例えば１０５ａまたは１０５ｂ）は、指向性アンテナを備え、２以上の指向性ビームを生成して複数セクタにおける無線カバーエリアをする。
【００３６】
アクセスネットワーク１２５は、１以上のベースステーション１０５ａ、１０５ｂと通信することができる。実施例においてアクセスネットワーク１２５は、１以上のベースステーション１０５ａ、１０５ｂを含むことができる。実施例においてアクセスネットワーク１２５は、他の無線通信システムおよび有線通信システムとの接続を提供するコアネットワーク（図１には示していない）と接続している。コアネットワークは、１以上のサービスサブスクリプションデータベースを備え、サービス提供を受けるＵＥ１１０（１１０ａ、１１０ｂ、１１０ｃ、１１０ｄとして示している）に関する情報を格納することができる。第１ベースステーション１０５ａは、第１無線アクセス技術に基づき無線サービスを提供することができる。第２ベースステーション１０５ｂは、第２無線アクセス技術に基づき無線サービスを提供することができる。ベースステーション１０５ａは、配置シナリオに応じて、フィールドの同じ場所に設置し、または分離して設置することができる。アクセスネットワーク１２５は、複数の異なる無線アクセス技術をサポートすることができる。
【００３７】
本技術およびシステムを実装することができる無線通信システムおよびアクセスネットワークの様々な例としては、ＣＤＭＡ２０００  １ｘなどのＣｏｄｅ  Ｄｉｖｉｓｉｏｎ  Ｍｕｌｔｉｐｌｅ  Ａｃｃｅｓｓ（ＣＤＭＡ）、Ｈｉｇｈ  Ｒａｔｅ  Ｐａｃｋｅｔ  Ｄａｔａ（ＨＲＰＤ）、ｅｖｏｌｖｅｄ  ＨＲＰＤ（ｅＨＲＰＤ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）、Ｅｖｏｌｖｅｄ  ＵＴＲＡＮ（Ｅ−ＵＴＲＡＮ）、Ｌｏｎｇ−Ｔｅｒｍ  Ｅｖｏｌｕｔｉｏｎ（ＬＴＥ）などに基づく無線通信システムがある。実施例において無線通信システムは、異なる無線技術を用いる複数のネットワークを含むことができる。デュアルモードまたはマルチモード無線デバイスは、異なる無線ネットワークに接続するため用いることができる２以上の無線技術を含む。実施例において無線デバイスは、Ｓｉｍｕｌｔａｎｅｏｕｓ  Ｖｏｉｃｅ−Ｄａｔａ  Ｏｐｅｒａｔｉｏｎ（ＳＶ−ＤＯ）をサポートすることができる。ＣＤＭＡ２０００システムにおいて、コアネットワーク１２５は、モバイルスイッチングセンタ（ＭＳＣ）、Ｐａｃｋｅｔ  Ｄａｔａ  Ｓｅｒｖｉｎｇ  Ｎｏｄｅ（ＰＤＳＮ）などを含むことができる。
【００３８】
図２は、無線ステーション２０５の一部のブロック図である。無線ステーション２０５は、ベースステーション、無線デバイス、ＵＥなどの無線トランシーバのモジュールを表す。本例において無線ステーションは、マイクロプロセッサなどのプロセッサ電子部品２１０を備える。プロセッサ２１０は、本文書が提供する１以上の無線通信技術を実装する。無線ステーション２０５はトランシーバ電子部品２１５を備え、例えばアンテナ２２０などの１以上の通信インターフェース上で無線信号を送信および／または受信する。無線ステーション２０５は、データを送受信するその他通信インターフェースを備えることができる。無線ステーション２０５は、データおよび／または命令などの情報を格納するように構成された１以上のメモリを備えることができる。実施例においてプロセッサ電子部品２１０は、トランシーバ電子部品２１５の少なくとも一部を含むことができる。記載の簡単のため、図２においてアンテナ２２０は単一部品として示している。しかし構成によっては、以下に説明するように無線ステーション２０５は複数アンテナを備えることができる。
【００３９】
実施例において無線ステーション２０５は、ＣＤＭＡインターフェースに基づき互いに通信することができる。実施例において無線ステーション２０５は、直交周波数分割多重（ＯＦＤＭ）インターフェースに基づき互いに通信することができる。これはＯｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ（ＯＦＤＭＡ）インターフェースを含む。実施例において無線ステーション２０５は、１以上の無線技術を用いて通信することができる。例えばＣＤＭＡ２０００  １ｘなどのＣＤＭＡ、ＨＲＰＤ、ＷｉＭＡＸ、ＬＴＥ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）である。
【００４０】
多くの移動体無線システムにおいて、セルはセルＩＤ番号（セルＩＤ）によりユーザ機器の観点から区別することができる。セルＩＤは、異なるセルＩＤの異なる送信特性（通常は物理層）において反映される場合がある。そのような例としては、基準信号シーケンス、スクランブルシーケンス、同期信号プロパティ、などがある。ＵＥは、推定した物理層パラメータから自身が属するセルＩＤを検出し、その後にその検出したセルＩＤから他のプロパティ（主に物理層）を学習することができる。
【００４１】
本文書において、“移動体ネットワークノード”は、１つのセル（すなわち１つのセルＩＤ）に関する信号やチャネルを送信する論理ノードである。実施例において同ノードは、ベースバンドおよび無線ユニットとともに、フィーダとアンテナを備えることができる。実施例において、ノードは無線ベースステーション内に実装することができる。
【００４２】
先に説明したように、例えばＬＴＥにおいて、ＵＥはＣＲＳベースダウンリンク通信のみを実施できる場合がある。他ＵＥは、ＤＭ−ＲＳベースダウンリンク通信も実施できる場合がある。
【００４３】
本文書の１側面において、移動体ネットワークノードの送信アンテナは、２以上の分割セットへ論理的に分離されている。２つの論理グループにグループ化した場合、アンテナセットＡとアンテナセットＢである。セットＡのアンテナは、共通基準信号とブロードキャストチャネルを送信するために用いられる。セットＢのアンテナは、その目的では用いられない。セットＢのアンテナは、セル内のＵＥとダウンリンクデータ通信するために用いられる。
【００４４】
ネットワーク内のＵＥに対してより大きなデータ帯域幅を提供することに関する上記課題に対処するため、１側面において、ＵＥに対してダウンリンクデータ送信するためネットワークが利用できる全てのアンテナのなかから、アンテナが動的にスイッチング（または構成）され、セットＡまたはセットＢに所属しまたは完全にＯＦＦされる。以下にさらに説明するように、このスイッチングは、移動体ネットワークの状況変化によってトリガされる。例えばセル負荷やセル内のＵＥ性能の変化である。
【００４５】
図３Ａは、無線ネットワーク３５０の例を示す。無線ネットワーク３５０は、マクロセルカバーエリア３５４内のＵＥ１１０に対して無線サービスを提供するマクロベースステーション３５２を含む。無線ネットワークは、対応するマクロセルエリアに対してカバー範囲を提供する複数のマクロベースステーション３５２を含むことができる。所与のセル３５４内において、ダウンリンク送信ポイントは全て、マクロベースステーション３５２に配置される。無線ネットワーク３５０は、例えばレガシーＬＴＥネットワーク（例えばＬＴＥリリース８やそれ以前）である。実施例において、セルの全送信アンテナはマクロベースステーション３５２の同一場所に配置されているので、無線ネットワーク３５０は上記共通基準信号を用いてＵＥ１１０に対してデータを送信する。したがってレガシーＵＥ１１０は、セルが単一マクロベースステーション３５０によってサービス提供を受けるこの無線ネットワーク３５０内で動作するように構築することができる。新たなＵＥは、“後方互換”モードで動作し、共通基準信号のみを用いる必要がある。あるいはこれに代えて、共通基準信号ベースデータ通信を用いることができないＵＥ１１０をサポートするため、マクロベースステーション３５２は上述のように専用基準信号を用いる必要がある。
【００４６】
図３Ｂは、移動体ネットワークノード３００のアンテナセットを示す。実施例においてネットワークノードは、上述のマクロベースステーション３５２と同様の構成を備える。図示する例において、セットＡのアンテナ（３０２）は、共通基準信号と当該セルのブロードキャストチャネルを送信するために用いられる。セットＢのアンテナ（３０４）は、ＣＲＳ送信のためには用いられず、他の信号のために用いられる。移動体ネットワークの動作状態に応じて、セットＢ３０４は空であり、セットＡ３０２は空ではない場合がある。共通基準信号とブロードキャストチャネルを送信する必要があるからである。アンテナセットＢ３０４から送信する信号とチャネルは、セットＡ３０２から送信される信号に対応するセルＩＤに関連付けられる。アンテナセットＢ３０４から送信される信号とチャネルの送信パラメータはセルＩＤに依拠していないが、その信号とチャネルはアンテナセットＡ３０２のセルに関連付けられたＵＥ１１０に対して送信される。状況によっては、セットＡとＢのアンテナはある期間なにも送信しない場合がある。ただしセットＡ３０２のアンテナは共通基準信号とブロードキャストチャネルを定期的に送信するので、セットＡ３０２のアンテナの休止期間はそのための期間により制約される。セットＢ３０４のアンテナについては、休止期間に関するそのような制約はない。
【００４７】
ＬＴＥネットワークの例において、ＣＲＳ、ＭＩＢ、ＳＩＢを送信するアンテナセットは、上記アンテナセットＡ（３０２）の例である。さらに復調基準信号（ＤＭ−ＲＳ）またはユーザ機器基準信号（ＵＥ−ＲＳ）のプリコーディングに基づく情報と基準シンボルは、ＣＲＳのために全く用いないアンテナにマッピングすることができる。換言すると、ＤＭ−ＲＳはセットＡのアンテナから送信することもできるし、その他アンテナ（例えばセットＢ）から送信することもできる。
【００４８】
実施例において、セル負荷が低い場合、セットＡの１つのアンテナのみがＯＮされ、セットＢはアンテナを有さないように構成されるか、またはセットＢのアンテナはＯＦＦされる。この構成は、ノード３００におけるパワー消費を抑制する。セットＢ３０４のアンテナはネットワーク負荷が増えるまで長い間ＯＦＦされるからである。
【００４９】
他シナリオにおいて、例えば先に説明した図３Ａのネットワーク３５０の場合、セルは共通基準信号に基づくダウンリンク通信のみを実施できるＵＥ１１０（レガシーＵＥ）を多く有する（例えば８０％以上）場合がある。この場合、セットＡのアンテナがより大きく、送信アンテナダイバーシティとＭＩＭＯ（Ｍｕｌｔｉｐｌｅ  Ｉｎｐｕｔ  Ｍｕｌｔｉｐｌｅ  Ｏｕｔｐｕｔ）を提供することが望ましい。レガシーＵＥの個数とセル内のネットワーク負荷に応じて、ネットワークはセットＡのアンテナ論理グループに対して送信ポイントを動的に割り当てることができる。例えば実施例において、利用率が４０％のときは送信アンテナ８台のうち４台を使用し、６０％のときは８台のうち６台を使用し、８０％以上のときはダウンリンク送信のため利用可能な８台全てを使用することができる。したがってアンテナの論理グループは、ネットワーク帯域幅利用率に応じて、例えばセットＡ４台とセットＢ４台、セットＡ／Ｂそれぞれ６台／２台、セットＡ／Ｂそれぞれ８台／２台、などに動的変更することができる。
【００５０】
図４Ａは、無線ネットワーク４５０の例を示す。移動体ネットワークノードのダウンリンク送信アンテナが全て同じ場所に配置されておらず、異なる場所の異なるベースステーションに配置されている。例えばダウンリンク送信ポイントは、マクロベースステーション４０２および低パワーノード（ＬＰＮ）またはマイクロベースステーション４５２において利用可能であり、同じセル４５４内のＵＥ１１０に対してサービスを提供する。
【００５１】
ネットワーク４５０内で動作するレガシーＵＥ１１０は、ＬＰＮ４５２を利用できない場合があり、共通基準信号とダウンリンクデータ送信を受け取るためマクロベースステーション４０２を探す場合がある。新たなＵＥ１１０は、共通基準信号を用いてデータを受信するモードと、ＵＥ−ＲＳを用いてデータを受信するモードとのいずれかで動作可能である場合がある。ＵＥ−ＲＳを用いて受信するとき、ＵＥ１１０はＬＰＮ４５２からデータ送信を受け取ることができる。
【００５２】
同一場所に設置されたアンテナがない１実施例において（例えば図４Ａに示す場合）、各アンテナは全く異なる送信パワーを用いる。このような実装は、異機種ネットワーク（ＨｅｔＮｅｔ）の例である。例えば、マクロセルベースステーションは一般にマイクロセルよりも広い地理的エリアに対して無線サービスを提供し、マイクロセルは一般により小さい地理的エリアに対してサービスを提供する（マクロセルのカバーエリアと少なくとも一部が重なる場合もある）。ＨｅｔＮｅｔ実施例において、遠隔の低パワーアンテナをアンテナセット間で移動すると有利である。これは例えば、アンテナ近傍のＵＥ１１０の性能に応じて実施される。
【００５３】
実際には、上記方式は例えば、リモート無線ユニット（例えばマイクロセルベースステーション）と、光ファイバケーブルなどの高速インターフェースを用いるアンテナとに対して、中央ベースバンド処理デバイスを接続することによって実現することができる。
【００５４】
図４Ｂは、ダウンリンク送信配置４００を示す。移動体ネットワークノード４０２は、１以上の物理アンテナ４０４、１以上の物理アンテナ４０６を備える。これらは異なる物理的位置に配置されている。この例において、アンテナ４０４はマクロベースステーション４０２におけるアンテナに対応し、高パワーで送信することができる。一方でアンテナ４０６は、マクロベースステーション４０２から離れており、ＬＰＮ４５２におけるアンテナに対応し、低パワーのみで送信することができる。アンテナ４０６は、バックホール接続４１０上で移動体ネットワークの制御下にある。バックホール接続４１０は例えば、高速ファイバまたは同軸ケーブルもしくはギガビットイーサネット(登録商標)リンクである。セルのカバー範囲を提供するため、ノード４０２における少なくとも１つの送信ポイント（例えばアンテナ１  ４０４）は、セットＡに所属する必要がある。すなわち、ブロードキャストチャネルと共通基準信号を送信する。一方でアンテナ２  ４０６は、いずれのセットに所属してもよい。アンテナ２に物理的に近いＵＥ１１０が専用基準信号に基づきダウンリンク通信を実施できる場合、アンテナ２をセットＢに所属させることが適切である。アンテナ２に近いＵＥ１１０が共通基準信号に基づくダウンリンク通信のみを実施できる場合、アンテナ２をセットＡに所属させることが適切である。
【００５５】
第１アンテナグループ（セットＡ）および第２アンテナグループ（セットＢ）に対してアンテナを割り当てることは、上記のように、ネットワーク動作状態に応じて実施することができ、以下に説明するように様々な動作上の問題を解決する。
【００５６】
例えば実施例において、動的アンテナ割当を用いて、システム内のレガシーＵＥと新ＵＥの組み合わせに基づき、ネットワーク帯域幅利用を調整することができる。例えば図４Ａの実施例において、マクロベースステーション４０２におけるアンテナのみが、全セル４５４をカバーするのに十分なパワーレベルでブロードキャスト信号を送信することができる場合がある。したがって実施例において、マクロベースステーション４０２における少なくとも１つのアンテナは、常にセットＡに対して割り当て、共通システム情報、共通基準信号、およびデータを送信するように構成することができる。このときの送信フォーマットは第１送信フォーマットであり、データの送信パラメータ（例えば変調および符号化インデックスとプリコーディング方式）は共通基準信号から導かれる。ネットワーク内にレガシーＵＥ１１０のみが存在する場合、マクロベースステーション４０２の全アンテナをセットＡに対して割り当て、ＬＰＮ４５２における全アンテナをセットＢに対して割り当ててＯＦＦするかまたはセットＢに対して割り当てずＯＦＦすることができる。共通基準信号から導かれる送信パラメータまたは専用基準信号から導かれる送信パラメータいずれを用いてデータを受信することもできるＵＥ１１０は、設置場所と利用可能ネットワーク帯域幅に応じて、共通基準信号を用いるモードと専用基準信号を用いるモードのいずれにおいても動作するように制御することができる。例えばネットワークは、ＵＥをネットワークに対して許可する間に、例えばＵＥリビジョン番号に基づきＵＥの性能を知る場合がある。その後ネットワークは、ネットワークトラフィックが軽いかまたはＵＥがマクロベースステーション近傍にあるとき、共通基準信号ベースのデータ送信を用いるようにＵＥを制御することができる。反対にＵＥ１１０がＬＰＮに近いとき、ネットワークは専用基準信号を用いて動作するようＵＥ１１０に対して指示することができる。
【００５７】
ネットワーク内における新たなＵＥ１１０の個数が増え始め、新ＵＥ１１０がＬＰＮ４５２のカバー範囲内に含まれるようになると、ＬＰＮ４５２におけるアンテナを第２アンテナグループに対して動的に割り当て、データ送信パラメータが専用基準信号から導かれるフォーマットでデータ送信するように構成することができる。ただしセットＢのアンテナは、共通システム情報や共通基準信号を送信しない。これらはアンテナセットＡから送信される。
【００５８】
ネットワーク内の全ＵＥ１１０が新ＵＥであり、レガシーＵＥがネットワーク内に存在しない場合、セットＡに対して割り当てるアンテナ台数を最小限にし、残りのアンテナをセットＢに対して割り当てることができる。セットＡのアンテナのみが、共通基準信号または専用基準信号を用いて、マクロベースステーション４０２に最も近いＵＥに対してデータを提供する。セットＢのアンテナのみが、ＬＰＮ４５２に最も近いＵＥ１１０に対してデータを提供する。ネットワーク内におけるＵＥ１１０の集合が、マクロベースステーション４０２に近い位置からＬＰＮ４５２に近い位置へ移動すると、セットＡからセットＢに対してより多くのアンテナが割り当てられる。
【００５９】
実施例において、動的アンテナ割当は、マイクロセル（ＬＰＮ４５２による送信）またはマクロセル（マクロベースステーション４０２による送信）における相対的ネットワーク帯域幅利用率に応じて実施することができる。例えば負荷が軽いとき、セットＡに対して相対的に少ないアンテナ（例えば８台のうち４台）を割り当てて共通基準信号を送信するように構成し、セットＢに対し
てアンテナを全く割り当てないかまたは相対的に少ないアンテナ（例えば１〜２台）を割り当てる。残りのアンテナはＯＦＦする。ネットワーク負荷が増えてくると、セットＡとＢに対して割り当てるアンテナ台数を動的に増やすことができる。セットＡとＢのどちらが望ましいかは、マクロセルまたはマイクロセルにおいて帯域幅の“開通”がより多く実施されているか否かに依拠する。
【００６０】
図５は、無線通信のプロセス５００のフローチャートである。プロセス５００は、移動体無線ネットワークに接続されたコントローラ、コンピュータ、またはプロセッサにおいて実装することができる。移動体ネットワークは、複数アンテナからサービス提供を受けるセルを含む。複数アンテナは、１以上のベースステーションに配置されている。ベースステーションは、ネットワーク内の無線デバイスに対して無線サービスを提供するように構成されている。
【００６１】
ステップ５０２において、第１アンテナグループは、１以上のベースステーションに配置された複数アンテナのなかから第１アンテナを含むように構成され、第１および第２フォーマットにしたがって、セル内の無線デバイスに対して共通システム情報、共通基準信号、およびデータを送信する。先に説明したように実施例において、第１アンテナグループは、高パワー送信モードで動作する少なくとも１つのアンテナを含む。このアンテナは通常、マクロベースステーションに配置されている。実施例において、第１フォーマットは共通基準信号から導かれる送信パラメータを用い、第２フォーマットは専用基準信号から導かれる送信パラメータを用いる。
【００６２】
ステップ５０４において、第２アンテナグループは、第１アンテナとは異なる第２アンテナを含むように構成され、第２フォーマットにしたがって、共通システム情報や共通基準信号を送信することなく、セル内の無線デバイスに対してデータを送信する。先に説明したように実施例において、第１アンテナグループはマクロセルに対して無線カバー範囲を提供し、第２アンテナグループはマイクロセルに対して無線カバー範囲を提供する。マイクロセルはマクロセルよりも小さい地理的エリアを占有し、少なくとも部分的にマクロセルと重なる。
【００６３】
ステップ５０６において、１以上のベースステーションに配置された複数アンテナのなかのアンテナは、ネットワーク動作状態に基づき、第１アンテナグループまたは第２アンテナグループに対して動的に割り当てられる。複数アンテナは、ネットワークが利用可能な全てのダウンリンク送信ポイント（アンテナまたはアンテナポート）を含む。これはネットワーク内のマクロベースステーションや低パワーノードに配置されたアンテナを含む。実施例において、常に全てのアンテナが送信のため積極的に用いられるわけではない。例えば先に説明したように、ネットワークデータトラフィック負荷に応じて送信アンテナのうちいくつかはＯＦＦされ、パワーを節約する。これらアンテナは、第２アンテナグループに対して割り当てて送信を実施しないように構成することもできるし、第１および第２アンテナグループのいずれに対しても割り当てないこともできる。先に説明したように実施例において、ネットワーク動作状態は、マクロセルのデータトラフィック負荷を含む。先に説明したように実施例において、ネットワーク動作状態は、マイクロセルのデータトラフィック負荷を含む、
【００６４】
図６は、無線通信装置６００のブロック図を示す。モジュール６０２は、１以上のステーションに配置された複数アンテナのなかから第１アンテナを第１アンテナグループが含むように構成し、第１および第２フォーマットにしたがって、共通システム情報、共通基準信号、およびデータをセル内の無線デバイスに対して送信するようにするためのものである。モジュール６０４は、第１アンテナとは異なる第２アンテナを第２アンテナグループが含むように構成し、第２フォーマットにしたがって、共通システム情報と共通基準信号を除くデータをセル内の無線デバイスに対して送信するようにするためのものである。モジュール６０６は、ネットワーク動作状態に基づき、１以上のベースステーションに配置された複数アンテナのなかからアンテナを第１または第２アンテナグループに対して動的に割り当てるためのものである。装置６００とモジュール６０２、６０４、６０６はさらに、本文書が開示する技術を実装するように構成することができる。
【００６５】
無線通信の別方法において、複数アンテナの第１サブセットは第１アンテナグループに対して割り当てられ、第２サブセットは第２アンテナグループに対して割り当てられる。第１アンテナグループは、第１フォーマット（例えば共通基準信号ベースのデータ送信パラメータ）または第２フォーマット（専用基準信号ベースのデータ送信パラメータ）にしたがって、基準信号とデータを送信するように構成される。第２アンテナグループは最初に、信号を送信しないように構成される（例えばネットワークＵＥ占有率が低いときパワーを節約するため）。ネットワーク帯域幅利用率を監視する。ネットワーク帯域幅利用率が所定閾値に到達したと判定された場合、第２アンテナグループはＯＮされ、第２フォーマット（例えば専用基準信号に基づくデータ送信）にしたがって信号を送信する。
【００６６】
無線通信システムは、マクロセルベースステーションとマイクロセルベースステーションを含む。マクロセルベースステーションは、第１位置に配置され、第１エリアにわたって無線カバー範囲を提供する。マクロセルベースステーションは、第１パワーレベル（例えば最大パワーまたは公称規定パワー）で送信される共通基準信号から導かれる送信パラメータを用いてデータを送信するように構成された第１送信ポイントセットを備える。マイクロセルベースステーションは、第１位置とは異なる第２位置に配置され、少なくとも一部が第１エリア範囲内にある第２エリアにわたって無線カバーを提供する。マイクロセルベースステーションは、第１パワーレベル未満の第２パワーレベルで送信されるユーザ機器固有の基準信号を用いてデータを送信するように構成された第２送信ポイントセットを備える。先に説明したように、マイクロセルベースステーションは、マクロベースステーションよりも小さい（例えば２０ｄＢ小さい）パワーレベルで動作することができる。送信パラメータは、いくつかの方法によって導き出すことができる。例えば、受信ノードからベースステーションに対してチャネル品質レポートを送信すること、そのレポートに基づき送信パラメータを調整すること、である。マクロセルベースステーションとマイクロセルベースステーションはさらに、第１および第２エリアに対応する同じ無線セルＩＤを用いて送信するように構成される。第２送信ポイントセットは、以下に応じて動作中にＯＮまたはＯＦＦされる：（ａ）ネットワーク帯域幅利用率、または（ｂ）マイクロセルカバーエリア内における、ユーザ機器固有基準信号に準拠したユーザ機器の個数。
【００６７】
本文書は、現存の無線通信技術によっては解決することができないダウンリンク送信ポイント割当問題に対して対処するのに有用な技術を開示していることを理解されたい。１側面において、本文書が開示する技術により、無線ネットワークは、ネットワークからユーザ機器に対して送信する２以上のアンテナグループを用いて動作することができる。送信ポイント（例えばマクロセルベースステーションまたはマイクロセルベースステーションにおける物理アンテナ）と論理アンテナグループとの間のマッピングは、無線ネットワークの動作状態に基づき動的に変更することができる。
【００６８】
マクロセルやマイクロセルにおけるベースステーションなどの無線ノードにおけるアンテナ配置を動的に割り当てる技術を開示したことを理解されたい。１技術例において、データトラフィック負荷などのネットワーク状態を用いて、無線ネットワークにおいて送信のため用いる送信アンテナを動的に再構成する。
【００６９】
開示した技術を用いて、共通基準信号を用いるレガシーユーザ機器と専用基準信号に基づき動作可能な新ユーザ機器との組み合わせに応じて、送信アンテナ再割り当てを実施できることを理解されたい。
【００７０】
開示した実施形態とその他実施形態（例えばアンテナ構成器、動的アンテナ構成器、マクロセルコントローラ、マイクロセルコントローラなど）および本文書が説明する機能的動作は、デジタル電子回路内、またはコンピュータソフトウェア、ファームウェア、ハードウェア内に実装することができる。これらは本文書が開示する構造およびその等価構造、さらにはこれらの１以上の組み合わせを含む。開示する実施形態およびその他の実施形態は、１以上のコンピュータプログラム製品として実装することができる。すなわち、コンピュータ読取可能媒体に記録され、データ処理装置が実行しまたはその動作を制御する、１以上のコンピュータプログラム命令のモジュールである。コンピュータ読取可能媒体は、機械読取可能記憶装置、機械読取可能記憶基板、メモリデバイス、機械読取可能伝搬信号を生成する合成物、またはこれらの１以上の組み合わせである。データ処理装置という用語は、全ての装置、デバイス、データ処理機械を包含する。これらは例えばプログラム可能プロセッサ、コンピュータ、マルチプロセッサまたはコンピュータを含む。装置は、ハードウェアに加えて、コンピュータプログラムの命令環境を生成するコードを含む。例えば、プロセッサファームウェア、プロトコルスタック、データベース管理システム、オペレーティングシステム、またはこれらの１以上の組み合わせを構成するコードである。伝搬信号は、人工生成された信号である。例えば、適当な受信装置に対して送信するために情報をコード化するように生成された、機械生成による電気的、光学的、または電磁的信号である。
【００７１】
コンピュータプログラム（プログラム、ソフトウェア、ソフトウェアアプリケーション、スクリプト、またはコードとしても知られている）は、任意形態のプログラム言語で記述することができる。これはコンパイル言語またはインタプリタ言語を含み、任意形態で配布することができる。これはスタンドアロンプログラムまたはモジュール、コンポーネント、サブルーチン、その他のコンピュータ環境において使用するのに適したユニットを含む。コンピュータプログラムは、ファイルシステムに対応している必要はない。プログラムは、他のプログラムまたはデータ（例えば、マークアップ言語文書内に格納された１以上のスクリプト）を保持する、当該プログラム専用の単一ファイル内または複数協調ファイル（例えば、１以上のモジュール、サブプログラム、またはコードの一部を格納するファイル）内におけるファイルの一部に格納することができる。コンピュータプログラムを配布して、１サイトに配置されまたは複数サイトをまたがって通信ネットワークによって相互接続配置された１以上のコンピュータによって実行することができる。
【００７２】
本文書において開示するプロセスとロジックフローは、１以上のコンピュータプログラムを実行する１以上のプログラム可能プロセッサによって実施して、入力データ上で動作し出力を生成することにより機能を実施することができる。プロセスとロジックフローは例えばＦＰＧＡ（ｆｉｅｌｄ  ｐｒｏｇｒａｍｍａｂｌｅ  ｇａｔｅ  ａｒｒａｙ）やＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）のような特定用途論理回路によって実施することもできる。装置はこれら回路として実装することもできる。
【００７３】
コンピュータプログラムを実行するのに適したプロセッサは、例えば汎用および特定用途マイクロプロセッサ、または任意タイプのデジタルコンピュータの１以上のプロセッサを含む。一般にプロセッサは、読取専用メモリまたはランダムアクセスメモリまたはこれら双方から命令とデータを受信する。コンピュータの必須要素は、命令を実施するプロセッサと、命令およびデータを格納する１以上のメモリデバイスである。一般にコンピュータはさらに、データを格納する１以上の大規模記憶デバイスを備え、またはこれらと動作可能に連結されデータを受信または送信する。例えば光磁気ディスク、または光ディスクである。しかしコンピュータはこれらデバイスを必ずしも備えなくともよい。コンピュータプログラム命令とデータを格納するのに適したコンピュータ読取可能媒体は、不揮発性メモリ、媒体、およびメモリデバイスの全ての形態を含む。これは例えば、ＥＰＲＯＭやＥＥＰＲＯＭのような半導体メモリデバイス、フラッシュメモリデバイス、例えば内部ハードディスクやリムーバブルディスクのような磁気ディスク、光磁気ディスク、ＣＤＲＯＭおよびＤＶＤ−ＲＯＭディスクを含む。プロセッサとメモリは、特定用途論理回路内によって補充され、またはその内部に設けることができる。
【００７４】
本文書は詳細記述を含むが、これらは特許請求しまたはする可能性のある本発明の範囲に対する制約として解釈すべきではない。むしろ特定実施形態に固有の構成の記述として解釈すべきである。個々の実施形態の文脈において本文書が開示する特定要素は、単一実施形態の組み合わせにおいて実装することができる。これとは反対に、単一実施形態の文脈において開示する様々な要素は、複数の実施形態またはその任意の組み合わせにおいて個別に実装することができる。さらに、要素は特定の組み合わせにおいて動作することを説明し、そのように特許請求しているが、特許請求する組み合わせからの１以上の要素は場合によっては組み合わせから除去することができる。特許請求する組み合わせは、サブ組み合わせまたはサブ組み合わせの変形物とすることができる。同様に、図面内の動作は特定順序で示したが、所望結果を実現するために、そのような動作を図示する特定順序で実施することが必要であり、また全動作を実施することが必要であると解釈すべきではない。
【００７５】
数個の例と実装のみを開示した。開示内容に基づき、説明した例および実装に対する変形、修正、拡張、その他の実装をすることも可能である。
【図１】
0006038330.tif 000002
【図２】
0006038330.tif 000003
【図３Ａ】
0006038330.tif 000004
【図３Ｂ】
0006038330.tif 000005
【図４Ａ】
0006038330.tif 000006
【図４Ｂ】
0006038330.tif 000007
【図５】
0006038330.tif 000008
【図６】
0006038330.tif 000009